(57)【要約】【課題】ＰＤＰ装置に装着されたフロントカバーの着脱が、リアケースを取り外す必要があった。【解決手段】インナーシャーシーが内部の部品を保持し本体の強度を保つ構造とし、フロントカバー取付け構造と前面ガラスフィルター及びフィルター取付け金具の取付け構造を有するインナーシャーシと、インナーシャーシーとネジにて締結されるリヤケースを有し、フロントカバーはインナーシャーシー及びリヤケースにフックにて固定される構成。【選択図】　　　図２
2004117875.tif 000002
【特許請求の範囲】
【請求項１】
インナーシャーシーが内部の部品を保持し本体の強度を保つ構造とし、フロントカバー取付け構造と前面ガラスフィルター及びフィルター取付け金具の取付け構造を有する前記インナーシャーシと、前記インナーシャーシーとネジにて締結されるリヤケースを有し、フロントカバーは前記インナーシャーシー及び前記リヤケースにフックにて固定される構成を特徴とした平面画像表示装置用フロントカバー脱着構造。
【請求項２】
インナーシャーシーが内部の部品を保持し本体の強度を保つ構造とし、フロントカバー取付け構造と前面ガラスフィルター及びフィルター取付け金具の取付け構造を有する前記インナーシャーシと、前記インナーシャーシーとネジにて締結されるリヤケースを有し、フロントカバーは前記インナーシャーシー及び前記リヤケースにネジにて固定される構成を特徴とした平面画像表示装置用フロントカバー脱着構造。
【請求項３】
インナーシャーシーが内部の部品を保持し本体の強度を保つ構造とし、フロントカバー取付け構造と前面ガラスフィルター及びフィルター取付け金具の取付け構造を有する前記インナーシャーシと、前記インナーシャーシーとネジにて締結されるリヤケースを有し、フロントカバーは前記インナーシャーシー及び前記リヤケースにフックおよびネジにて固定される構成を特徴とした平面画像表示装置用フロントカバー脱着構造。
【請求項４】
前記フックがフ前記ロントカバーと一体であることを特徴とする請求項１および３記載の平面画像表示装置用フロントカバー脱着構造。
【請求項５】
前記インナーシャーシがプレス加工であることを特徴とする請求項１乃至３記載の平面画像表示装置用フロントカバー脱着構造。
【請求項６】
前記インナシャーシーがダイキャストモールド構造であることを特徴とする請求項１乃至３記載の平面画像表示装置用フロントカバー脱着構造。
【発明の詳細な説明】
【０００１】
【発明の属する技術分野】
本発明は平面画像表示装置用フロントカバー脱着構造に関し、特に内部重要部品に触れずにフロントカバーが容易に着脱できる平面画像表示装置用フロントカバー脱着構造に関する。
【０００２】
【従来の技術】
従来のフロントカバー構造として特開２００１−３３２８８６に開示されているものが有り図４に示す、この構造は導電性のエスカション４１と、導電性バックカバー４２と導電性のスポンジ４３を介してビス締め接合している。
【０００３】
【特許文献１】
特開２００１−３３２８８６号公報（第２頁、図２）
【０００４】
【発明が解決しようとする課題】
上述した従来の平面画像表示装置用フロントカバー脱着構造においては、このフロンドカバー構造では、容易にフロントカバーを取り外すことができない。ＰＤＰ製品仕様において、ＯＥＭ先等の客先より色変えやデザインの異なるフロントベゼルに換えるために、フロントカバーを簡単に分離したいという要求がある。また、光学フィルタ等の外郭部品は、ユーザーなどが簡単に分解して内部にアクセスするようなトラブルを発生させない構造にする必要がある。また、製造・サービス等の現場にて、フロントカバーのキズ等による交換工事を容易にする必要がある。という要求があったが従来の構造ではこれらのことが容易ではないという欠点があった。
【０００５】
したがって、本発明の目的は、ＰＤＰ装置に装着されたフロントカバーの着脱を、リアケースを取り外すことなく行える取付け構造にする。本構造を採用する事により、色変え等のモデル展開及びフロントカバー交換等のサービス性を格段に向上する事ができる構造を得ることである。
【０００６】
【課題を解決するための手段】
本発明の平面画像表示装置用フロントカバー脱着構造は、インナーシャーシーが内部の部品を保持し本体の強度を保つ構造とし、フロントカバー取付け構造と前面ガラスフィルター及びフィルター取付け金具の取付け構造を有するインナーシャーシと、インナーシャーシーとネジにて締結されるリヤケースを有し、フロントカバーはインナーシャーシー及びリヤケースにフックにて固定される構成を特徴とする、また、インナーシャーシーが内部の部品を保持し本体の強度を保つ構造とし、フロントカバー取付け構造と前面ガラスフィルター及びフィルター取付け金具の取付け構造を有するインナーシャーシと、インナーシャーシーとネジにて締結されるリヤケースを有し、フロントカバーはインナーシャーシー及びリヤケースにネジにて固定される構成を特徴とする。また、インナーシャーシーが内部の部品を保持し本体の強度を保つ構造とし、フロントカバー取付け構造と前面ガラスフィルター及びフィルター取付け金具の取付け構造を有するインナーシャーシと、インナーシャーシーとネジにて締結されるリヤケースを有し、フロントカバーはインナーシャーシー及びリヤケースにフックおよびネジにて固定される構成を特徴とする。
【０００７】
【発明の実施の形態】
次に、本発明について図面を参照して説明する。図１、図２、図３に本発明の実施形態を示す。本発明は、脱着可能なフロントカバー１と、フロントカバー取付け構造として前面ガラスフィルター３及びフィルター取付け金具４の取付け構造を有するインナーシャーシ５と、インナーシャーシー５とネジａ６にて締結されるリヤケース７を持つ。フロントカバ１ーはインナーシャーシー５及びリヤケース７にフロントカバー１体のフック８（以下フックと記載）又はネジｃ９にて固定される構成となっている。
【０００８】
フロントカバーの脱着は、図２のフック部分を持ち上げて分離するか、図３のフロントカバー固定用ネジ止めボス１０に取付けられたネジｃ９を外す事によって分離するか、又はフック８とネジｃ９固定を併用している場合はその両方を外すことにより、ＰＤＰ装置から分離させる事ができる。前面ガラスフィルター３の取付けは、図２のネジｂ１３によってＰＤＰ装置内側から取付ける事により、フロントカバー１を取外した状態にて前面ガラスフィルター３を取外すことが出来ない構造になっている。上記構成により、フック８又はネジｃ９数本にて簡単にフロントカバーを取外す事が可能である。フロントカバー１を取外した状態でも、誤ってユーザー等が前面ガラスフィルター３を外して装置内部にアクセスする事ができない構造である。
【０００９】
インナーシャーシーは、図中ではプレス構造を用いているが、より内部部品の保護強度を得るためダイキャスト・モールドによる構成をとることも効果を上げることができる。図中では、上側の固定をフック・下側の固定をフロントカバーからのネジ止めボスとしてるが、フック及び固定ボスの位置は左右上下どの部分でも構成する事ができる。又、フックのみ及びネジ固定ボスのみでも構成する事ができる。
【００１０】
【発明の効果】
以上説明したように、本発明は、フロントカバー内側のインナーシャーシーが前面ガラスフィルタ等の部品を保持しＰＤＰ本体の強度を保つ構造とし、フロントカバーに強度がかからない構造とする事により、ネジ数本及びフロントカバー１体のフックにて簡単に着脱可能な構造としたことにより、フロントカバーを簡単に分離でき、また、光学フィルタ等の外郭部品は、ユーザーなどが簡単に分解して内部にアクセスするようなトラブルを発生させない構造にできる。また、製造・サービス等の現場にて、フロントカバーのキズ等による交換工事を容易にすることができるという効果がある。
【図面の簡単な説明】
【図１】本発明の実施形態を示す概略図である。
【図２】本発明の実施形態を示す断面概略図である。
【図３】本発明の実施形態を示す断面概略図である。
【図４】従来例の構成を示す概略図である。
【符号の説明】
１　　フロントカバー
３　　前面ガラスフィルター
４　　フィルター取り付け金具
５　　インナーシャーシー
６　　ネジａ
７　　リヤケース
８　　フック
９　　ネジｃ
１０　　フロントカバー固定用ネジ止めボス
１１　　フロントカバーフック取付部
１２　　ネジ止めボス押入形状
１３　　ネジｂ
【図１】
2004117875.tif 000003
【図２】
2004117875.tif 000004
【図３】
2004117875.tif 000005
【図４】
2004117875.tif 000006